(57)【要約】【課題】  システムキッチンに蝿帳機能を一体的に組込み、システムキッチンの機能性をより格段と向上させる。【解決手段】  食器収納部，調理台，流し，カウンター，調理用器具収納部，吊下戸棚，ガスレンジ，電気加熱調理部，オーブン，食器洗い部，冷蔵庫やレンジフードなどの必要組込部材を、一以上必要数備えて成るシステムキッチンにあって、通気性のある網８構成の開閉扉５を備えた蝿帳収納部４を一体的に組込んで成ることを特徴とする蝿帳付システム食器戸棚。【選択図】        図１
0003110952.tif 000002
【実用新案登録請求の範囲】
【請求項１】
食器収納部，調理台，流し，カウンター，調理用器具収納部，吊下戸棚，ガスレンジ，電気加熱調理部，オーブン，食器洗い部，冷蔵庫やレンジフードなどの必要組込部材を、一以上必要数備えて成るシステムキッチンにあって、通気性のある網構成の開閉扉を備えた蝿帳収納部を一体的に組込んで成ることを特徴とする蝿帳付システムキッチン。
【請求項２】
蝿帳収納部の開閉扉は、開口部の上辺または下辺を軸として回動自在とし、収納部の両側に設けたガイド溝に沿って開閉扉を押し込み、引き出しできるようにして成ることを特徴とする請求項１記載の蝿帳付システムキッチン。
【請求項３】
蝿帳収納部は、側面の一または両面を通気性のある網構成として成ることを特徴とする請求項１記載の蝿帳付システムキッチン。
【考案の詳細な説明】
【技術分野】
【０００１】
この考案は、台所などのシステムキッチンに組込んで使用できる蝿帳付システムキッチンに関する。
【背景技術】
【０００２】
従来、一般に知られる流しや食器戸棚などを一体的に組込んで構成されるシステムキッチンでは、密閉性の高い戸棚や、小型冷蔵庫、更には皿洗機などを組込んであり、通気性の良い蝿帳機能を備えた収納部を見受けられず、例えば、携帯して移動自在の移動可能性蝿帳（特許文献１）とかワゴン棚と一体構造の蝿帳装置（特許文献２）などがその代わりとして用いられている。
【特許文献１】特開平９−１６４０３１号公報
【特許文献２】実開平５−３９３４５号公報
【考案の開示】
【考案が解決しようとする課題】
【０００３】
このように、従来の蝿帳は、その機能上、移動可能な構造で形成され、常に一定の場所に使いやすく形成されていないという問題がある。
【０００４】
また、食品の余り物や、おやつ、煮物など既に料理済の食品や食パン，加工パン，その他の袋菓子などを特定な場所へ保存する際、冷蔵庫での収納は冷えすぎて了うので、台所に配設されるシステムキッチンに常温で保存できる衛生的な戸棚が、台所の周辺になく、サランラップ（登録商標）などの透明フィルムで包むなどして卓上に載置しなければならないという問題があった。
【０００５】
この考案は叙上の点に着目して成されもので、常温で各種食品を収納できる蝿帳機構を一体的に備えさせ、かつ何人も利用しやすい蝿帳付システムキッチンを提供することを目的とする。
【課題を解決するための手段】
【０００６】
本考案は、以上の点に考慮して成されたもので、以下の構成を備えることを特徴とするものである。
【０００７】
（１）食器収納部，調理台，流し，カウンター，調理用器具収納部，吊下戸棚，ガスレンジ，電気加熱調理部，オーブン，食器洗い部，冷蔵庫やレンジフードなどの必要組込部材を、一以上必要数備えて成るシステムキッチンにあって、通気性のある網構成の開閉扉を備えた蝿帳収納部を一体的に組込んで成ることを特徴とする蝿帳付システムキッチン。
【０００８】
（２）蝿帳収納部の開閉扉は、開口部の上辺または下辺を軸として回動自在とし、収納部の両側に設けたガイド溝に沿って開閉扉を押し込み、引き出しできるようにして成ることを特徴とする前記（１）記載の蝿帳付システムキッチン。
【０００９】
（３）蝿帳収納部は、側面の一または両面を通気性のある網構成として成ることを特徴とする前記（１）記載の蝿帳付システムキッチン。
【考案の効果】
【００１０】
本考案は、システム構成の台所のシステム食器戸棚の一部に網戸構成の蝿帳収納部を備えているので、既に調理済の食物，おやつ，煮物やそれ以外の簡単な食品を冷蔵庫に入れる必要なく衛生的に保存できる。
【００１１】
また、蝿帳収納部の開閉扉は、開口部の上辺または下辺を軸として回動自在に開閉でき、かつ収納部の内部にガイド溝に沿って出し入れ自在に構成したので、操作を軽快に行うことができる。
【００１２】
さらに、収納部の片側または両側にも開閉扉と同様に通気性の網構成としたので、より効果的な通気性を確保して収納部内の保存食品を衛生的に管理できるなどの効果を有する。
【考案を実施するための最良の形態】
【００１３】
以下に、本考案の一実施例を説明する。
【実施例】
【００１４】
図示された実施例は、流しやガスレンジを備えていないシステム食器戸棚を示し、図１は正面図、図２は図１の右側面から見た断面説明図、図３は図２のIII−III線拡大断面図、図４は蝿帳収納部の他の構成を示すもので、（ａ）は側面の一方に網構成を施した場合、（ｂ）は側面の両方に網構成を施した場合をそれぞれ示してある。
【００１５】
図において、１はシステム食器戸棚本体を示し、上部右側には比較的大きな食器収納部２を、また下部にも比較的大きな戸棚３が設けられ、これら食器収納部２、戸棚３間に形成される空間部に蝿帳収納部４が形成される。
【００１６】
５は、蝿帳収納部４の開口部６に開閉自在に設けられる開閉扉を示し、図示では四周の枠板７の間に金属または合成樹脂製の網８を張設して通気性を付与している。９は、開閉扉５の上辺両側部に突設した軸部を示し、開閉扉５はこの軸部９を支点として上下両方向に回動駆動できると共に、蝿帳収納部４内の上部両側に設けたガイド溝１０に案内されて、開閉扉５の両側を支持し乍ら開閉扉５は、蝿帳収納部４の上部に収納される。なお、開閉扉５の軸部は、上記構成を上下反転しても実施できると共に、開閉扉５自体は、一般に知られる二枚構成の観音開き或は片側回動開きなど自由に構成できるものであって何等特定されない。そして開閉扉５と開口部６との密着性を確実にするため、ゴムパッキンなどを介在させることができる。
【００１７】
また、網８は金属樹脂などのメッシュまたは小孔開口方式など通気機能を備える構成のものをすべて含むものである。
【００１８】
１１は、一または二以上の棚を示し、固定でもまた高さが可変できる可動棚として備えさせることも可能である。
【００１９】
なお図において、１２は吊り戸棚、１３はオープン棚、１４はオープンスペースで冷蔵庫やワゴンなどの必要な家具を収納できる。１５は中央に設けた仕切板、１６は両側の支持板などを示す。
【００２０】
また、図において、符号１７は開閉扉５に設けた指掛け用の取手を示す。
【００２１】
叙上の構成になるので、各種収納部が組込まれ、かつ蝿帳収納部４が組込まれたシステム食器戸棚本体１を通常の戸棚として利用できると共に、このシステム食器戸棚本体１には、蝿帳収納部４が設けられているので、開閉扉５を下側から上方に持ち上げて回動させ、蝿帳収納部４の上部に設けたガイド溝１０に押し込んで収納し、開口部６を開放し、必要な食べ物など食物を収納できる。そして収納後、開閉扉５を蝿帳収納部４から前方に引き出し、かつ下方に回動させて閉じれば、完全に開閉扉５によって蝿帳収納部４の食べ物を外気と網８によって通気性を保持し乍ら遮断保存できる。
【００２２】
そして、必要な時、開閉扉５を開き、中の食べ物を自由に取り出して食することができる。
【００２３】
ことに、冷蔵庫など冷却を要しない食べ物を一時的に保存することができるという利点があると共に、開閉扉５は網８構成であるため、内部の収納物を何人も窺知できるので、衛生的であり、かつきわめて便利である。
【００２４】
また以上の実施例は、特定の図示されたシステム食器戸棚に限って示したが、このような限定された構成に限ることなく、流し，調理台，カウンター，電気または電磁調理器，オーブン，ガスレンジ，レンジフード，食器洗い部，冷蔵庫，カウンターなどのシステム構成で組込可能な各種部材を備えたあらゆる台所キッチンに蝿帳収納部４を同様にシステム構成として自由に組み込むことができる。
【００２５】
図４には蝿帳収納部の他の異なる二つの構成を示してある。（ａ）は蝿帳収納部４の片側の側面に開閉扉５の網８と同一構成の網８を施し、換気性の向上を図るものを示してあり、また（ｂ）は蝿帳収納部４の両側面に開閉扉５の網８と同一構成の網８を施し、より有効な換気通気性を図る例を示したものである。
【００２６】
なお図示しないが、蝿帳収納部４内には、ファンなどの強制通気手段を設けて、間欠的または継続的に働かせることにより塵埃の侵入を防いだり、マイナスイオンを発生させたり、さらに殺菌燈などを設けて食物の変質を防いで安全を図ることもできる。そしてこれらの付属手段の電気手段は、蝿帳収納部４とシステム的に一体的構成としてスイッチ機構と共に形成できる。
【産業上の利用可能性】
【００２７】
本考案は、従来、備えていないシステムキッチンに蝿帳収納部を一体的に組み込むことにより、蝿帳付システムキッチンとして、各種システム構成、例えばＩ型，ＩＩ型，Ｌ型，Ｈ型，Ｕ型などに形成して広く実施して、システムキッチンの利用性をより充実させて需要者の利便性および快適性に供し得る。
【図面の簡単な説明】
【００２８】
【図１】本考案の実施例を示す正面図
【図２】図１の右側面から見た断面説明図
【図３】図２のIII−III線拡大断面図
【図４】蝿帳収納部の他の実施例を示し、（ａ）は側面の一方に網構成を施した平面断面説明図、（ｂ）は両側面に網構成を施した平面断面説明図
【符号の説明】
【００２９】
１  システム食器戸棚本体
４  蝿帳収納部
５  開閉扉
６  開口部
８  網
【図１】
0003110952.tif 000003
【図２】
0003110952.tif 000004
【図３】
0003110952.tif 000005
【図４】
0003110952.tif 000006